(57)【要約】【課題】外光、老眼、遠視等の影響を可能な限り排除し、色変換に関する処理を適切にできるようにする。【解決手段】カメラ１００は、表示素子に表示される画像を接眼光学系を介してユーザが観察する覗込み式の電子ビューファインダ１１０と、色変換処理に関する前記ユーザからの入力操作を受け付ける操作部１５０と、を備える、システムコントローラ１４０は、前記ユーザからの入力操作に対応した色変換処理を前記画像に対して行う。【選択図】図１
2010166122.tif 000002
【特許請求の範囲】
【請求項１】
画像を表示する表示素子と接眼光学系を有する電子ビューファインダと、
所定の情報を記憶する記憶手段と、
色変換処理に関する入力操作を受け付ける入力手段と、
前記入力操作に対応した色変換処理を前記画像に対して行う色変換処理手段と、
前記電子ビューファインダ、前記入力手段及び前記色変換処理手段を制御する制御手段を備えたことを特徴とする撮像装置。
【請求項２】
前記記憶手段は、前記所定の情報として、色覚特性に応じて認識特性の異なるカラーパターンと色覚特性の一覧の少なくとも１つを記憶し、
前記制御手段は、前記カラーパターンまたは前記色覚特性の一覧に対する入力操作に基づいて色覚特性を判定する機能を有し、
前記色変換処理手段は、前記色変換処理として前記色覚特性の判定結果に対応する色変換処理を前記画像に対して行う、
ことを特徴とする請求項１に記載の撮像装置。
【請求項３】
前記記憶手段は、前記所定の情報として、色相、彩度、明度の情報を少なくとも記憶し、
前記色変換処理手段は、前記色変換処理として、前記色相、前記彩度、前記明度の少なくとも１つに対する入力操作に基づいて色変換処理を前記画像に対して行うことを特徴とする請求項１に記載の撮像装置。
【請求項４】
前記色変換処理手段は、前記色変換処理後の前記画像の色を再調整する機能を有することを特徴とする請求項１から３のいずれか一つに記載の撮像装置。
【請求項５】
前記色変換処理手段は、スルー画像、撮影画像および文字画像の少なくとも１つに対して前記色変換処理を行う機能を有することを特徴とする請求項１から４のいずれか一つに記載の撮像装置。
【請求項６】
前記電子ビューファインダは、前記接眼光学系の焦点距離を変更する視度調整機構を有する、
ことを特徴とする請求項１から５のいずれか一つに記載の撮像装置。
【請求項７】
前記記憶手段は、視度調整用画像を記憶していることを特徴とする請求項６に記載の撮像装置。
【請求項８】
前記視度調整用画像は、輝度情報のみの画像であることを特徴とする請求項７に記載の撮像装置。
【請求項９】
前記記憶手段は、前記色変換処理が行われる前の前記画像および前記色変換処理が行われた後の前記画像の少なくとも一方を記憶することを特徴とする請求項１から８のいずれか一つに記載の撮像装置。
【請求項１０】
被写体の画像を取得する画像取得工程と、
前記画像を記憶する記憶工程と、
色覚特性に関する情報を取得する情報取得工程と、
前記情報に基づいて前記画像に対して色変換処理を行なう色変換工程と、
前記色変換処理後の画像をファインダに表示する画像表示工程を備えることを特徴とする画像処理方法。
【請求項１１】
前記情報取得工程において、色覚特性に応じて認識特性の異なるカラーパターンを表示し、前記情報を取得することを特徴とする請求項１０に記載の画像処理方法。
【請求項１２】
前記情報取得工程において、色覚特性の一覧を表示し、前記情報を取得することを特徴とする請求項１０に記載の画像処理方法。
【請求項１３】
前記情報取得工程において、色相、彩度、明度の情報を表示し、前記色変換処理を行うことを特徴とする請求項１０に記載の画像処理方法。
【請求項１４】
前記色変換工程は、前記色変換処理後の前記画像の色を再調整する工程を有することを特徴とする請求項１１に記載の画像処理方法。
【請求項１５】
前記色変換工程は、スルー画像、撮影画像および文字画像の少なくとも１つに対して前記色変換処理を行うことを特徴とする請求項１０から１４のいずれか一つに記載の画像処理方法。
【請求項１６】
更に、視度を調整する調整工程を有することを特徴とする請求項１０から１５のいずれか一つに記載の画像処理方法。
【請求項１７】
前記調整工程において、視度調整用画像を表示することを特徴とする請求項１６に記載の画像処理方法。
【請求項１８】
前記視度調整用画像が輝度情報のみの画像であることを特徴とする請求項１７に記載の画像処理方法。
【請求項１９】
前記記憶工程は、前記色変換処理が行われる前の前記画像および前記色変換処理が行われた後の前記画像の少なくとも一方を記憶する工程を含むことを特徴とする請求項１０から１８のいずれか一つに記載の画像処理方法。
【発明の詳細な説明】
【技術分野】
【０００１】
本発明は、画像に対して色変換処理を行う撮像装置、及び色変換処理を有する画像処理方法に関する。
【背景技術】
【０００２】
特定の色を認識できない（色盲）、あるいは、認識しにくい（色弱）といった色覚特性を持つ人の割合は大きく、例えば、日本人男性の場合、約２０人に１人の割合で存在する。このため、カラー画像を扱う機器においては、上記色覚特性を持つ人であってもカラー画像を認識できるよう、カラー画像に対して適切な色変換処理を行う機能を付加することが望まれている。
【０００３】
この点に関し、特許文献１では、テスト画像をディスプレイに表示し、これに対するユーザの認識結果からユーザの色覚特性を判定し、判定結果に応じてカラー画像の色調を補正する技術を開示している。ユーザが認識できない（あるいは、認識しにくい）特定の色を強調する補正をすれば、カラー画像の認識しやすさを向上させることができる。
【特許文献１】特開２００７-１９０１１３公報
【発明の開示】
【発明が解決しようとする課題】
【０００４】
上記特許文献１に開示される技術をデジタルカメラ、デジタルビデオカメラに適用する場合、上記テスト画像や色調補正後の画像はカメラの背面パネルに表示されることになる。
【０００５】
しかしながら、背面パネルは外光の影響を受けるため、実際の表示色と異なる色に見えることが多く、正確な色覚特性の判定、適切な色調補正は難しい。また、老眼や遠視の人は画面を遠ざけて見ることが多いため、テスト画像の認識不良が老眼や遠視によるものか色覚特性によるものかの判断が難しく、やはり適切な色調補正は難しい。
【０００６】
本発明は、このような技術的課題に鑑みてなされたもので、外光、老眼、遠視等の影響を可能な限り排除し、色変換に関する処理を的確にできるようにすることを目的とする。
【課題を解決するための手段】
【０００７】
本発明のある態様に係る撮像装置は、画像を表示する表示素子と接眼光学系を有する電子ビューファインダと、所定の情報を記憶する記憶手段と、色変換処理に関する入力操作を受け付ける入力手段と、前記入力操作に対応した色変換処理を前記画像に対して行う色変換処理手段と、前記電子ビューファインダ、前記入力手段及び前記色変換処理手段を制御する制御手段を備える。
【０００８】
また、本発明のある態様に係る画像処理方法は、被写体の画像を取得する画像取得工程と、前記画像を記憶する記憶工程と、色覚特性に関する情報を取得する情報取得工程と、前記情報に基づいて前記画像に対して色変換処理を行なう色変換工程と、前記色変換処理後の画像をファインダに表示する画像表示工程を備える。
【発明の効果】
【０００９】
これらの態様によれば、電子ビューファインダの表示素子に表示される画像をユーザが見ながら色変換に関する処理が行われるので、外光、老眼、遠視等の影響を可能な限り排除し、色変換に関する処理を的確に行うことができる。
【発明を実施するための最良の形態】
【００１０】
以下、添付図面を参照しながら本発明の実施形態について説明する。
【００１１】
図１は本発明の実施形態に係るカメラ１００の機能ブロック図である。ここではカメラ１００として、静止画撮影用のデジタルスチルカメラを想定しているが、本発明は、動画撮影機能を有するデジタルスチルカメラ、動画撮影機能を主機能とするデジタルビデオカメラにも適用可能である。
【００１２】
カメラ１００は、レンズ系１０１、ＡＦ機構１０２、絞り機構１０３、シャッタ１０４、撮像素子１０５、撮像回路１０６、Ａ／Ｄコンバータ１０７、バッファメモリ１０８、画像処理部１０９、電子ビューファインダ（以下、「ＥＶＦ」という。）１１０、背面パネル１２０、記録部１３０、システムコントローラ１４０、及び操作部１５０を備える。
【００１３】
レンズ系１０１は、焦点位置を調節するためのフォーカスレンズ、焦点距離を調節するためのズームレンズ等の各種レンズを備える。ＡＦ機構１０２は、レンズ系１０１を駆動してフォーカスを調節する。また、レンズ系１０１がパワーズーム可能なズームレンズ系である場合、ＡＦ機構１０２はズーム調節も行う。絞り機構１０３は、レンズ系１０１の光路上に設けられた絞りと、絞りを制御するための制御機構を備える。シャッタ１０４は、レンズ系１０１から絞り機構を介して入射する光束が撮像素子１０５に入射する時間を制御する。
【００１４】
撮像素子１０５は、レンズ系１０１からの光束を光電変換によって電気信号に変換する。撮像素子１０５は、例えば、ＣＣＤやＣＭＯＳ等のイメージセンサによって構成される。撮像回路１０６は、撮像素子１０５から伝送される電気信号をアナログ画像信号に変換する。Ａ／Ｄコンバータ１０７は、撮像回路１０６から伝送されるアナログ画像信号をデジタル画像信号に変換する。バッファメモリ１０８はＳＤＲＡＭによって構成され、Ａ／Ｄコンバータ１０７から伝送されるデジタル画像信号や、画像処理部１０９によって生成されるデジタル画像信号（後述する色変換処理後の画像信号、各種撮影情報・各種設定メニューを含む文字画像の表示に係る画像信号等）を一時的に記憶する。
【００１５】
画像処理部１０９は、バッファメモリ１０８に記憶されているデジタル画像信号に対して、後述する色変換処理、画素数の変換処理等の各種画像処理を行い、ＥＶＦ用画像信号、背面パネル用画像信号、及び記録用画像信号を生成し、バッファメモリ１０８に一時的に記憶する。なお、デジタル画像信号に対する処理を、以下の説明では適宜、当該信号で表現される「画像」に対する処理として表現する。
【００１６】
ＥＶＦ１１０は、覗込み式の電子ビューファインダであり、表示制御部１１１、ＥＶＦ用表示素子１１２、視度調整機構１１３、及び接眼光学系１１４を備える。なお、視度調整機構１１３は必ずしも必要ではない。
【００１７】
ＥＶＦ用表示素子１１２は液晶パネルにより構成される。表示制御部１１１は、画像処理部１０９から伝送されるＥＶＦ用画像信号に基づきＥＶＦ用表示素子１１２を駆動し、ＥＶＦ用表示素子１１２にＥＶＦ用画像を表示する。なお、以下の説明では、ＥＶＦ用表示素子１１２にＥＶＦ用画像を表示することを、単に「ＥＶＦ１１０に画像を表示する」と表現する。なお、本実施形態で用いられる画像表示素子はＬＣＤに限られない。例えば、画像表示素子として有機ＥＬを用いることもできる。
【００１８】
接眼光学系１１４は、光軸方向に移動可能なレンズを含む複数のレンズで構成され、ＥＶＦ用表示素子１１２に表示される画像を拡大する。ユーザはＥＶＦ用表示素子１１２に表示されるＥＶＦ用画像を接眼光学系１１４を介して観察する。
【００１９】
視度調整機構１１３は、レンズの少なくとも一つを光軸方向に移動し、接眼光学系１１４の焦点距離を変更する機構である。ユーザは、視度調節機構１１３を操作することで、眼の視度に合わせてＥＶＦ用表示素子１１２をきちんと見ることができる。すなわち、ユーザは、ピントが合った状態で、ＥＶＦ用表示素子１１２に表示された画像を見ることができる。
【００２０】
背面パネル１２０は、表示制御部１２１、及び背面パネル用表示素子１２２を備える。
【００２１】
背面パネル用表示素子１２２は液晶パネルにより構成される。表示制御部１２１は、画像処理部１０９から伝送される背面パネル用画像信号に基づき背面パネル用表示素子１２２を駆動し、背面パネル用表示素子１２２に背面パネル用画像を表示する。なお、以下の説明では、背面パネル用表示素子１２２に背面パネル用画像を表示することを、単に「背面パネル１２０に画像を表示する」と表現する。
【００２２】
記録部１３０は、圧縮伸張部１３１、インターフェース１３２、及び記憶媒体１３３を備える。
【００２３】
圧縮伸張部１３１は、画像処理部１０９から伝送される記録用画像信号を、例えば、ＪＰＧやＭＰＥＧ等の方式で圧縮する。また、圧縮伸張部１３１は、記憶媒体１３３に記憶されている圧縮された画像信号を伸張してバッファメモリ１０８に格納する。インターフェース１３２は、圧縮伸張部１３１と記憶媒体１３３との間でデータを送受信する。記憶媒体１３３は、スマートメディア、ＳＤカード、ｘＤピクチャーカード等のフラッシュメモリ等であり、インターフェース１３２に対して着脱可能に構成される。
【００２４】
システムコントローラ１４０は、カメラ１００内の各部を統括的に制御する。システムコントローラ１４０は、例えば、ＣＰＵ、ＲＡＭ、フラッシュメモリ等を備える。
【００２５】
システムコントローラ１４０はフラッシュメモリに格納されているプログラムをＲＡＭに読み込み、ＣＰＵが実行することでカメラ１００全体の制御を行う。例えば、システムコントローラ１４０は、ＡＦ機構１０２を制御することでレンズ系１０１を制御し、フォーカス調整、ズーミングを行う。また、システムコントローラ１４０は、絞り機構１０３による絞り調整を行い、シャッタ１０４を駆動してシャッタ速度を制御する。
【００２６】
また、システムコントローラ１４０には、レリーズボタンを含む複数のボタン、ダイヤルで構成される操作部１５０が接続されており、操作部１５０へのユーザからの入力操作を受けて、その入力に応じた制御を行う。
【００２７】
特に、システムコントローラ１４０は画像処理部１０９を制御する。画像処理部１０９では、ユーザの色覚特性に応じた色変換処理が行われる。なお、ここでのユーザは、特定の色を識別できない（色盲）、あるいは、識別しにくい（色弱）といった色覚特性を持つユーザである。このようなユーザあっても、画像処理部１０９における色変換処理により、カラー画像を認識できるようになる。なお、色変換処理では、ＥＶＦ１１０に表示される画像を、ユーザが覗き込んで見ることが要求される。そのため、色変換処理では、外光の影響を受けないようにすることができる。また、ユーザが老眼や遠視であっても色変換に関する処理を適切に行えるようにする。
【００２８】
図２はシステムコントローラ１４０によって実行される視度調整・色変換に関する処理のプログラムの内容を示したフローチャートを示している。これを参照しながらその内容について詳しく説明する。なお、この処理はリアルタイムで行なうことができる。
【００２９】
この処理は、ユーザが所定の入力操作を操作部１５０に対して行ったときに開始される。所定の入力操作とは、例えば、ユーザが操作部１５０を操作して設定メニューをＥＶＦ１１０あるいは背面パネル１２０に表示させ、その中に含まれる色変換に関する項目を選択する操作である。この処理はユーザがＥＶＦ１１０を覗き込んだ状態で行うことを想定しているので、ＥＶＦ１１０を覗き込むようユーザに促すメッセージ、画像を背面パネル１２０に表示するようにしてもよい。
【００３０】
システムコントローラ１４０は、まず、ステップＳ１０で、この処理を開始する直前にＥＶＦ１１０に表示されていた画像（スルー画像、撮影画像、文字画像等）を色変換前画像として記憶する。
【００３１】
次に、ステップＳ１１からＳ１４において視度調整に関する処理が行われる。これは、ＥＶＦ１１０の視度調整が完了していないと、ＥＶＦ１１０に表示される画像をユーザがはっきり見ることができず、ユーザが色変換手順を適切に選択し、また、色変換処理が適切に行われたかを正しく判断するのが難しいからである。なお、ステップＳ１１からＳ１４までの処理を備えている方がより好ましいが、必ず必要というものではない。
【００３２】
ステップＳ１１では、視度調整に関する確認メッセージがＥＶＦ１１０に表示され、操作部１５０に対するユーザからの入力操作が受け付け可能になる。確認メッセージは、例えば、図３に示すような内容であり、視度調整済みであることを示す「調整済」と視度調整が未調整であることを示す「未調整」がある。これらのメッセージのいずれかを、ユーザが操作部１５０を操作することによって選択することができる。
【００３３】
ステップＳ１２では、操作部１５０に対するユーザからの入力操作に基づき、「調整済」、「未調整」のうちいずれが選択されたが判断される。「調整済」が選択された場合はステップＳ１５以降に処理が進み、「未調整」が選択された場合はステップＳ１３に処理が進む。ステップＳ１３の処理では、視度調整が行われる。
【００３４】
ステップＳ１３では、ＥＶＦ１１０に視度調整用画像が表示され、操作部１５０に対するユーザからの入力操作が受け付け可能になる。視度調整用画像はピントが合っているかどうかをユーザが判断するのに適した画像であり、例えば、図４に示すような交差する複数の線で構成される画像が用いられる。視度調整用画像は、ユーザの色覚特性に関係なく視度調整を行えるよう、輝度情報のみから構成される。ユーザは視度調整用画像を見ながら視度調整機構１１３を操作し、視度調整用画像にピントを合わせる。ＥＶＦ１１０の視度調整が完了した場合は、ユーザが操作部１５０を操作し、視度調整用画像と併せてＥＶＦ１１０に表示される「ＯＫ」を選択する。
【００３５】
ステップＳ１４では、操作部１５０に対するユーザからの入力操作に基づき、「ＯＫ」が選択されたかが判断される。「ＯＫ」が選択された場合はステップＳ１５以降に処理が進み、「ＯＫ」が選択されていない場合はステップＳ１３に戻る。
【００３６】
視度調整に関する処理が完了したら、システムコントローラ１４０は次に色変換に関する処理を行う。
【００３７】
ステップＳ１５では、色変換手順のメニューがＥＶＦ１１０に表示され、操作部１５０に対するユーザからの入力操作が受け付け可能となる。メニューには、色変換手順として、例えば、図５に示すように「手動調整」、「プリセット」、及び「自動判定」がある。ユーザは、操作部１５０を操作することによりいずれか一つの手順を選択する。
【００３８】
ステップＳ１６では、いずれの色変換手順が選択されたが判断される。「手動調整」が選択された場合はステップＳ２１へ処理が進み、「プリセット」が選択された場合はステップＳ２２処理が進み、「自動判定」が選択された場合はステップＳ２３へ処理が進む。
【００３９】
「手動調整」が選択されると、ステップＳ２１に処理が進む。ステップＳ２１では、手動調整画面がＥＶＦ１１０に表示され、操作部１５０に対するユーザからの入力操作が受け付け可能になる。手動調整画面は、色相、彩度、明度（以下、これらを総称して「色変換パラメータ」という。）が現在どのような設定値になっているかが表示される。色変換パラメータの表示例としては、例えば、図６に示すような画面がある。図６では、色変換パラメータは、スライドバー２０１により視覚的に表示される。ユーザは、操作部１５０を操作してスライドバー２０１上に配置されるスライダ２０２を移動させることにより、色変換パラメータを個別に変更することができる。
【００４０】
このとき、変更途中の色変換パラメータに基づき、色変換前の画像に対して色変換処理が行われる。色変換処理後の画像は背景としてＥＶＦ１１０に表示され、ユーザが逐次確認できるようになっている。なお、画面には画像に併せて「次へ」が表示される。ユーザが操作部１５０を操作し、この「次へ」を選択すると色変換パラメータが確定され、ステップＳ３１に処理が進む。
【００４１】
ステップＳ３１では、確定された色変換パラメータに基づき、画像処理部１０９において色変換前画像に対して色変換処理が行われ、色変換後の画像が得られる。
【００４２】
ステップＳ３２では、ＥＶＦ１１０に色変換後画像が表示され、操作部１５０に対するユーザからの入力操作が受け付け可能になる。
【００４３】
図７は色変換後画像の例であり、「ＯＫ」、「元色確認」、「再調整」が併せてＥＶＦ１１０に表示される。ユーザはＥＶＦ１１０に表示される色変換後の画像を見ることで、所望の色変換が行われたか確認する。このとき、画像の確認は、ユーザがＥＶＦ１１０を覗き込んだ状態で行われるので、外光、老眼、遠視の影響が可能な限り排除される。その結果、ユーザは所望の色変換が行われたかの判断を的確に行うことができる。ユーザは、操作部１５０を操作し、所望の色変換が行われた場合は「ＯＫ」を選択し、所望の色変換が行われていない場合は「再調整」を選択する。
【００４４】
このとき、ユーザが「元色確認」を選択すると、図８に示す元色確認画面がＥＶＦ１１０に表示され、操作部１５０に対するユーザの入力操作が受け付け可能になる。図８は、ユーザが第３色盲である場合の表示例である。第３色盲の場合は青を認識できないので、海や空の色は赤で表示されている。同時に、海や空には、元色情報が青であることがわかるように、文字と矢印が表示されている。また、雲や波、岩場についても必要に応じて色変換を行なっても良い。この場合、図８に示すように、これらの部分にも、元色情報と矢印を表示すればよい。
【００４５】
このように、元色確認画面には、色変換後の画像上に元の色の名前が文字情報として表示されるので、ユーザは色変換前の色が何色だったかを大まかに把握することができる。なお、画面には画像に併せて「戻る」が表示される。ユーザが操作部１５０を操作し、この「戻る」を選択すると図７に示した画面が再び表示される。
【００４６】
ステップＳ３３では、操作部１５０に対するユーザからの入力操作が判断され、「ＯＫ」が選択された場合はステップＳ４０に処理が進み、「再調整」が選択された場合はステップＳ２１に戻る。ステップＳ２１では、色の再調整が行われる。
【００４７】
一方、「プリセット」が選択されると、処理がステップＳ２２に進む。この場合は、予め用意されている色覚特性の一覧が表示される。ユーザが自分の色覚特性に対応するものを選択すると、これに対応する色変換処理が行われる。
【００４８】
具体的には、図９に示す色覚特性の一覧がＥＶＦ１１０に表示され、操作部１５０に対するユーザからの入力操作が受け付け可能になる。この一覧には、第１〜第３色盲、第１〜第３色弱、白内障（強度、低度）が含まれるが、色覚特性の種類はこれに限定されない。ユーザは、操作部１５０を操作することにより、いずれかの色覚特性を選択する。
【００４９】
いずれかの色覚特性が選択されたらステップＳ３１に処理が進む。ステップＳ３１では、選択された色覚特性に応じた色変換処理が色変換前画像に対して行われ、色変換後の画像が得られる。なお、色覚特性に応じた色変換処理の内容は、予めフラッシュメモリ等に記憶されている。
【００５０】
色変換処理では、選択された色覚特性のもとでカラー画像を見やすくするための処理が行われる。色変換処理は、例えば、選択された色覚特性のもとで認識しにくい特定の色を強調する処理、当該特定の色以外の色を弱める処理、区別しにくい色の領域が隣接している場合に境界部を認識可能な色で強調する処理、当該特定の色を別の識別可能な色に置き換える処理等を含んでいる。色変換処理では、これらの処理が単独、あるいは必要に応じて組み合せて用いられる。
【００５１】
図１０の（Ａ）、（Ｂ）は色変換処理前後の画像の例である。ユーザの色覚特性が第１色盲の場合、濃い赤は黒に見えるため、図１０の（Ａ）に示すように黒の背景に濃い赤の文字が描かれていると、文字を認識することが難しい。しかしながら、ステップＳ２２で第１色盲が選択されていれば、濃い赤をオレンジ色、薄い赤等に変換する色変換処理が色変換前の画像に対して行われる。その結果、第１色盲のユーザでも文字を認識することのできる色変換後の画像が生成される。
【００５２】
色変換処理後の処理は手動調整の場合と同じである。つまり、色変換後画像がＥＶＦ１１０に表示され（ステップＳ３２）、所望の色変換が行われたかが操作部１５０に対するユーザからの入力操作に基づき判断され（ステップＳ３３）、所望の色変換が行われた場合はステップＳ４０に処理が進む。これに対し、再調整が必要な場合はステップＳ２１に処理が進み、ユーザが色変換パラメータを任意に再調整（手動調整）できるようになる。
【００５３】
一方、「自動判定」が選択された場合、ステップＳ２３に処理が進む。ステップＳ２３では、色覚特性判定用のカラーパターンが表示され、このカラーパターンに対するユーザの認識状態からユーザの色覚特性について判定が行なわれ、判定された色覚特性に応じた色変換処理が行われる。
【００５４】
具体的には、予め用意してある複数のカラーパターンが一枚ずつＥＶＦ１１０に順次表示され、操作部１５０に対するユーザからの入力操作が受け付け可能になる。
【００５５】
色覚特性判定に用いられるカラーパターンは、色覚特性によって認識特性が異なるカラーパターンである。このカラーパターンは、特定の色覚特性を持つ人が認識しにくいパターンや、色覚特性に応じて異なるように認識されるパターンを含んでいる。ＥＶＦ１１０には、図１１に示すように、ユーザへの質問がカラーパターンと併せて表示される。ユーザは、操作部１５０を操作することにより、質問に対する回答を入力する。質問に対する回答が全て入力されると、ステップＳ２４に処理が進む。なお、回答内容には、複数のカラーパターンについての情報が含まれている。
【００５６】
ステップＳ２４では、ユーザの回答内容からカラーパターンに対するユーザの認識状態が判断され、これに基づきユーザの色覚特性が判定される。
【００５７】
ユーザの色覚特性が判定されると、ステップＳ３１に処理が進む。ステップＳ３１では、判定された色覚特性に応じた色変換処理が色変換前の画像に対して行われ、色変換後の画像が得られる。なお、色覚特性に応じた色変換処理内容は、予めフラッシュメモリ等に記憶されている。
【００５８】
色変換処理後の処理は手動調整の場合と同じである。つまり、色変換後画像がＥＶＦ１１０に表示され（ステップＳ３２）、所望の色変換が行われたかが操作部１５０に対するユーザからの入力操作に基づき判断され（ステップＳ３３）、所望の色変換が行われた場合はステップＳ４０に処理が進む。これに対し、再調整が必要な場合はステップＳ２１に処理が進み、ユーザが色変換パラメータを任意に再調整（手動調整）できるようになる。
【００５９】
ステップＳ４０では、画像処理部１０９において、ステップＳ３１で行ったのと同じ色変換処理が背面パネル用画像、保存用画像に対して行われる。そして、色変換後の背面パネル用画像、保存用画像が生成される。背面パネル用画像は背面パネル１２０に表示され、保存用画像は必要に応じて記憶媒体１３３に記憶される。
【００６０】
なお、保存用画像を記憶媒体１３３に保存する際、ユーザによっては色変換後の保存用画像だけでなく、色変換前の保存用画像も保存したい場合がある。
【００６１】
このため、保存用画像に対して色変換処理が行われる場合は、色変換前の保存用画像は破棄されず、バッファメモリ１０８に残しておく処理が行われる。また、図１２に示すようなメニューがＥＶＦ１１０または背面パネル１２０に表示され、操作部１５０に対するユーザからの入力操作が受け付け可能になる。このようにすることで、ユーザは、記憶媒体１３３に保存する画像として、色変換前の保存用画像、色変換後の保存用画像、または両方の画像を選択できる。
【００６２】
上記処理を実行した後は、再度上記処理が実行されるまで、画像処理部１０９において、ステップＳ３１で行ったのと同じ色変換処理がＥＶＦ用画像、背面パネル用画像、保存用画像に対して行われる。
【００６３】
続いて上記視度調整・色変換に関する処理を行うことによる作用効果について説明する。
【００６４】
上記処理によれば、ＥＶＦ１１０に表示される画像をユーザが見ながら色変換に関する処理が行われる。このとき、ユーザはＥＶＦ１１０を覗き込むことになるので、外光、老眼、遠視等の影響を可能な限り排除し、色変換に関する処理（色変換手順の選択、色変換後画像の確認等）を的確に行うことができる。
【００６５】
また、上記処理では、色覚特性判定用のカラーパターンを用いてユーザの色覚特性を判定し、判定された色覚特性に対応する色変換処理を行うことができる。これによれば、ユーザに細かな調整作業を要求することなく、また、ユーザが自分の色覚特性を把握できていない場合であっても、ユーザの色覚特性に対応する色変換処理を容易かつ適切に行うことができる。カラーパターンはＥＶＦ１１０に表示されるので、外光、老眼、近視等の影響を受けることなく、ユーザの色覚特性の判定を正確に行うことができる。
【００６６】
また、予め用意されている色覚特性の一覧からユーザが自分の色覚特性に対応するものを選択し、選択された色覚特性に対応する色変換処理を行うことができる。これによれば、ユーザの負担を軽減しつつ、ユーザの色覚特性に対応する色変換処理を容易かつ適切に行うことができる。
【００６７】
また、ユーザの色覚特性は幾つかの特性に分類できるが、同じ特性に分類された場合でも色の見え方には個人差があり、また、ユーザによって色の好みに違いがある。上記処理では、色変換後の画像の色を再調整（手動調整）できるようにしたことで、より細かな色調整が可能になるので、色変換後画像の色をユーザが求めている色にさらに近づけることができる。また、この機能を使って、正常色覚者が自分の好きな色に調整することもできる。
【００６８】
また、上記処理ではＥＶＦ１１０の視度調整を行った後に色変換に関する処理が行われるので、色変換手順の選択や色変換後画像の確認をピントが合った状態で行うことができる。これにより、色変換に関する処理を適切に行うことができる。また、視度調整には輝度情報のみの画像が用いられるので、ユーザの色覚特性に影響されずＥＶＦ１１０の視度調整を正しく行うことができる。
【００６９】
また、保存用画像を記憶媒体１３３に保存する際、保存用画像として色変換前の保存用画像と色変換後の保存用画像のいずれか、あるいは、それら両方を選択し、選択した保存用画像を記憶媒体１３３に保存するようにした。これにより、色変換後の画像だけでなく、色変換前の画像も保存したいといったニーズに応えることができる。
【００７０】
以上、本発明の実施形態について説明したが、上記実施形態は本発明の適用例を示したものであり、本発明の技術的範囲を上記実施形態の具体的構成に限定する趣旨ではない。
【図面の簡単な説明】
【００７１】
【図１】本発明の実施形態に係るカメラの機能ブロック図である。
【図２】システムコントローラが行う視度調整・色変換に関する処理のプログラムの内容を示したフローチャートである。
【図３】視度調整に関する確認メッセージの例を示した図である。
【図４】視度調整用画像の例を示した図である。
【図５】色変換手順のメニューの例を示した図である。
【図６】手動調整画面の例を示した図である。
【図７】色変換後画像の例を示した図である。
【図８】元色確認画面の例を示した図である。
【図９】色覚特性の一覧の例を示した図である。
【図１０】色変換処理前後の画像の例を示した図である。
【図１１】色覚特性判定用のカラーパターンの例を示した図である。
【図１２】保存用画像を記憶媒体に保存する際に表示される画面の例である。
【符号の説明】
【００７２】
１００…カメラ
１０９…画像処理部
１１０…ＥＶＦ
１２０…背面パネル
１３０…記憶部
１４０…システムコントローラ
１５０…操作部
【図１】
2010166122.tif 000003
【図２】
2010166122.tif 000004
【図３】
2010166122.tif 000005
【図４】
2010166122.tif 000006
【図１１】
2010166122.tif 000007
【図１２】
2010166122.tif 000008
【図５】
2010166122.tif 000009
【図６】
2010166122.tif 000010
【図７】
2010166122.tif 000011
【図８】
2010166122.tif 000012
【図９】
2010166122.tif 000013
【図１０】
2010166122.tif 000014